(57)【特許請求の範囲】
【請求項１】
パターンドリターダ方式の立体映像装置のための映像処理方法であって、
（Ａ）左目映像データを左目エッジデータに変換し、右目映像データを右目エッジデータに変換する段階と、
（Ｂ）前記左目エッジデータと前記右目エッジデータを分析し左目映像のテキスト領域に対応する左目座標と右目映像のテキスト領域に対応する右目座標を抽出する段階と、
（Ｃ）前記左目座標のそれぞれに対応する左目映像データを前記左目座標のそれぞれに対応する左目映像データとそれに隣接する左目映像データの平均値に変換して左目変換データを生成し、前記右目座標のそれぞれに対応する右目映像データを前記右目座標のそれぞれに対応する右目映像データとそれに隣接する右目映像データの平均値に変換して右目変換データを生成する段階と、
（Ｄ）前記左目変換データと前記右目変換データ、および前記テキスト領域以外の領域を３Ｄフォーマット方法によって変換して３Ｄ映像データを生成する段階を含む映像処理方法。
【請求項２】
前記段階（Ｂ）は、
（Ｂ−１）第１しきい値より大きい前記左目エッジデータと前記右目エッジデータを最高階調値に変換し、前記第１しきい値以下の前記左目エッジデータと前記右目エッジデータを最低階調値に変換して左目量子化データと右目量子化データを生成する段階と、
（Ｂ−２）第１マスクをマスク単位でシフトさせ、前記左目量子化データと前記右目量子化データを左目量子化拡張データと右目量子化拡張データに変換する段階と、
（Ｂ−３）第２マスクと第３マスクをマスク単位でシフトさせ、前記左目量子化拡張データと前記右目量子化拡張データを左目検出データと右目検出データに変換する段階と、
（Ｂ−４）前記最大階調値を有する前記左目検出データの座標を前記左目座標で抽出し、前記最大階調値を有する前記右目検出データの前記右目座標を前記右目座標で抽出する段階とを含むことを特徴とする請求項１記載の映像処理方法。
【請求項３】
前記段階（Ｂ−２）は、
前記左目量子化データと前記右目量子化データそれぞれに前記第１マスクを設定する段階と、
前記第１マスクに含まれた前記左目量子化データまたは前記右目量子化データを前記第１マスクに含まれた前記左目量子化データまたは前記右目量子化データの最大値に変換して前記左目量子化拡張データと前記右目量子化拡張データを生成する段階を含むことを特徴とする請求項２記載の映像処理方法。
【請求項４】
前記段階（Ｂ−３）は、
前記左目量子化拡張データと前記右目量子化拡張データのそれぞれに前記第２マスクを設定する段階と、
前記第２マスクに含まれた前記左目量子化拡張データまたは前記右目量子化拡張データ全てが最大階調値を有する場合、前記第２マスクに含まれた前記左目量子化拡張データまたは前記右目量子化拡張データをそのまま維持する段階と、
前記第２マスクに含まれた前記左目量子化拡張データまたは前記右目量子化拡張データの中でいずれか一つでも最大階調値を有さない場合、前記第２マスクに含まれた前記左目量子化拡張データまたは前記右目量子化拡張データを最小階調値に変換する段階と、
前記左目量子化拡張データと前記右目量子化拡張データのそれぞれに前記第３マスクを設定する段階と、
前記第３マスクに含まれた前記左目量子化拡張データまたは前記右目量子化拡張データ全てが最大階調値を有する場合、前記第３マスクに含まれた前記左目量子化拡張データまたは前記右目量子化拡張データをそのまま維持する段階と、
前記第３マスクに含まれた前記左目量子化拡張データまたは前記右目量子化拡張データの中でいずれか一つでも最大階調値を有さない場合、前記第３マスクに含まれた前記左目量子化拡張データまたは前記右目量子化拡張データを最小階調値に変換する段階を含むことを特徴とする請求項３記載の映像処理方法。
【請求項５】
映像の複雑度が高いほど、前記第２マスクの大きさと前記第３マスクの大きさはさらに増大されることを特徴とする請求項４記載の映像処理方法。
【請求項６】
前記段階（Ｃ）は、
左目座標が（ａ、ｂ）座標である場合、（ａ、ｂ）座標の左目映像データを（ａ、ｂ）座標の左目映像データと（ａ−１、ｂ）座標または（ａ＋１、ｂ）の左目映像データの平均に変換し、右目座標が（ｃ、ｄ）座標である場合、（ｃ、ｄ）座標の右目映像データを（ｃ、ｄ）座標の右目映像データと（ｃ−１、ｄ）座標または(ｃ＋１、ｄ)座標の右目映像データの平均に変換する段階を含むことを特徴とする請求項１記載の映像処理方法。
【請求項７】
前記段階（Ｃ）は、
左目座標が（ａ、ｂ）座標である場合、（ａ、ｂ）座標が奇数ラインにある場合には、（ａ、ｂ）座標の左目映像データを（ａ、ｂ）座標の左目映像データと（ａ＋１、ｂ）の左目映像データの平均に変換し、右目座標が（ｃ、ｄ）座標である場合、 （ｃ、ｄ）座標が奇数ラインにある場合には、（ｃ、ｄ）座標の右目映像データを（ｃ、ｄ）座標の右目映像データと（ｃ＋１、ｄ）座標の右目映像データの平均に変換する段階と、
左目座標が（ａ、ｂ） 座標である場合、（ａ、ｂ）座標が偶数ラインにある場合には、（ａ、ｂ）座標の左目映像データを（ａ、ｂ）座標の左目映像データと（ａ−１、ｂ）の左目映像データの平均に変換し、右目座標が（ｃ、ｄ）座標である場合、（ｃ、ｄ）座標が偶数ラインにある場合には、（ｃ、ｄ）座標の右目映像データを（ｃ、ｄ）座標の右目映像データと（ｃ−１、ｄ）座標の右目映像データの平均に変換する段階を含むことを特徴とする請求項１記載の映像処理方法。
【請求項８】
前記段階（Ｄ）は、
奇数ラインに前記奇数ラインの左目変換データを配列し、偶数ラインに前記偶数ラインの右目変換データを配列し、変換された３Ｄ映像データを生成する段階、または
前記偶数ラインに前記奇数ラインの左目変換データを配列し、前記奇数ラインに前記偶数ラインの右目変換データを配列し、変換された３Ｄ映像データを生成する段階であることを特徴とする請求項１記載の映像処理方法。
【請求項９】
前記段階（Ｄ）は、
第Ｎ（Ｎは自然数）フレームの奇数ラインに前記奇数ラインの左目変換データを配列し、前記第Ｎフレームの偶数ラインに前記偶数ラインの右目変換データを配列し、第Ｎ＋１フレームの奇数ラインに前記奇数ラインの前記左目変換データの偶数ラインを配列し、前記第Ｎ＋１フレームの偶数ラインに前記奇数ラインの前記右目変換データの奇数ラインを配列し、変換された３Ｄ映像データを生成する段階をさらに含むことを特徴とする請求項１記載の映像処理方法。
【請求項１０】
左目映像データを左目エッジデータに変換し、右目映像データを右目エッジデータに変換するエッジ変換部と、
前記左目エッジデータと前記右目エッジデータを分析して左目映像のテキスト領域に対応する左目座標と右目映像のテキスト領域に対応する右目座標を抽出するテキスト領域検出部と、
前記左目座標のそれぞれに対応する左目映像データを前記左目座標のそれぞれに対応する左目映像データとそれに隣接する左目映像データの平均値に変換して左目変換データを生成し、前記右目座標のそれぞれに対応する右目映像データを前記右目座標のそれぞれに対応する右目映像データとそれに隣接する右目映像データの平均値に変換し右目変換データを生成するデータ変換部と、
前記左目変換データと前記右目変換データ、および前記テキスト領域以外の領域を３Ｄフォーマット方法によって変換して３Ｄ映像データを生成する３Ｄフォーマットと、を含むパターンドリターダ方式の映像処理部。
【請求項１１】
前記テキスト領域検出部は、
第１しきい値より大きい前記左目エッジデータと前記右目エッジデータを最高階調値に変換して前記第１しきい値以下の前記左目エッジデータと前記右目エッジデータを最低階調値に変換して前記左目量子化データと前記右目量子化データを生成する量子化処理部と、
第１マスクをマスク単位でシフトさせて前記左目量子化データと前記右目量子化データを左目量子化拡張データと右目量子化拡張データに変換するテキスト領域拡張部と、
第２マスクと第３マスクをマスク単位でシフトさせて前記左目量子化拡張データと前記右目量子化拡張データを左目検出データと右目検出データに変換するテキスト領域処理部と、を含み、
前記テキスト領域検出部は、
前記最大階調値を有する前記左目検出データの座標を前記左目座標で抽出し、前記最大階調値を有する前記右目検出データの座標を前記右目座標で抽出する座標抽出部をさらに含むことを特徴とする請求項１０記載の映像処理部。
【請求項１２】
前記テキスト領域拡張部は、
前記左目量子化データと前記右目量子化データそれぞれに前記第１マスクを設定し、前記第１マスクに含まれた前記左目量子化データまたは前記右目量子化データを前記第１マスクに含まれた前記左目量子化データまたは前記右目量子化データの最大値に変換して前記左目量子化拡張データと前記右目量子化拡張データを生成することを特徴とする請求項１１記載の映像処理部。
【請求項１３】
前記テキスト領域処理部は、
前記左目量子化拡張データと前記右目量子化拡張データのそれぞれに前記第２マスクを設定し、前記第２マスクに含まれた前記左目量子化拡張データまたは前記右目量子化拡張データ全てが最大階調値を有する場合、前記第２マスクに含まれた前記左目量子化拡張データまたは前記右目量子化拡張データをそのまま維持し、前記第２マスクに含まれた前記左目量子化拡張データまたは前記右目量子化拡張データの中でいずれか一つでも最大階調値を有さない場合、前記第２マスクに含まれた前記左目量子化拡張データまたは前記右目量子化拡張データを最小階調値に変換し、
前記左目量子化拡張データと前記右目量子化拡張データのそれぞれに前記第３マスクを設定し、前記第３マスクに含まれた前記左目量子化拡張データまたは前記右目量子化拡張データ全てが最大階調値を有する場合、前記第３マスクに含まれた前記左目量子化拡張データまたは前記右目量子化拡張データをそのまま維持し、前記第３マスクに含まれた前記左目量子化拡張データまたは前記右目量子化拡張データの中でいずれか一つでも最大階調値を有さない場合、前記第３マスクに含まれた前記左目量子化拡張データまたは前記右目量子化拡張データを最小階調値に変換することを特徴とする請求項１２記載の映像処理部。
【請求項１４】
映像の複雑度が高いほど、前記第２マスクの大きさと前記第３マスクの大きさはさらに増大されることを特徴とする請求項１３記載の映像処理部。
【請求項１５】
前記データ変換部は、
左目座標が（ａ、ｂ）座標である場合、（ａ、ｂ）座標の左目映像データを（ａ、ｂ）座標の左目映像データと（ａ−１、ｂ）座標または（ａ＋１、ｂ）の左目映像データの平均に変換し、右目座標が（ｃ、ｄ)座標である場合、（ｃ、ｄ）座標の右目映像データを（ｃ、ｄ）座標の右目映像データと（ｃ−１、ｄ）座標または（ｃ＋１、ｄ）座標の右目映像データの平均に変換することを特徴とする請求項１０記載の映像処理部。
【請求項１６】
前記データ変換部は、
左目座標が（ａ、ｂ）座標である場合、（ａ、ｂ）座標が奇数ラインにある場合、（ａ、ｂ）座標の左目映像データを（ａ、ｂ）座標の左目映像データと（ａ＋１、ｂ）の左目映像データの平均に変換し、右目座標が（ｃ、ｄ)座標である場合、（ｃ、ｄ）座標が奇数ラインにある場合、（ｃ、ｄ）座標の右目映像データを （ｃ、ｄ）座標の右目映像データと（ｃ＋１、ｄ）座標の右目映像データの平均に変換し、
左目座標が（ａ、ｂ）座標である場合、（ａ、ｂ）座標が偶数ラインにある場合、（ａ、ｂ）座標の左目映像データを（ａ、ｂ）座標の左目映像データと（ａ−１、ｂ）の左目映像データの平均に変換し、右目座標が（ｃ、ｄ）座標である場合、（ｃ、ｄ）座標が偶数ラインにある場合、（ｃ、ｄ）座標の右目映像データを（ｃ、ｄ）座標の右目映像データと（ｃ−１、ｄ）座標の右目映像データの平均に変換することを特徴とする請求項１０記載の映像処理部。
【請求項１７】
前記３Ｄフォーマットは、
奇数ラインに前記奇数ラインの左目変換データを配列し、偶数ラインに前記偶数ラインの右目変換データを配列し、変換された３Ｄ映像データを生成し、または
前記偶数ラインに前記奇数ラインの左目変換データを配列し、前記奇数ラインに前記偶数ラインの右目変換データを配列し、変換された３Ｄ映像データを生成することを特徴とする請求項１０記載の映像処理部。
【請求項１８】
前記３Ｄフォーマットは、
第Ｎ（Ｎは自然数）フレームの奇数ラインに前記奇数ラインの左目変換データを配列し、前記第Ｎフレームの偶数ラインに前記偶数ラインの右目変換データを配列し、第Ｎ＋１フレームの奇数ラインに前記奇数ラインの前記左目変換データの偶数ラインを配列し、前記第Ｎ＋１フレームの偶数ラインに前記奇数ラインの前記右目変換データの奇数ラインを配列し、変換された３Ｄ映像データを生成することを特徴とする請求項１０記載の映像処理部。
【請求項１９】
データラインとゲートラインが交差される表示パネルと、
入力される映像データのテキスト領域を検出して前記テキスト領域の文字可読性を改善する映像処理部と、
前記映像処理部から出力された映像データをデータ電圧に変換して前記データラインに出力するデータ駆動部と、
前記データ電圧に同期されるゲートパルスを前記ゲートラインに順次に出力するゲート駆動部を備え、
前記映像処理部は、
左目映像データを左目エッジデータに変換し、右目映像データを右目エッジデータに変換するエッジ変換部と、
前記左目エッジデータと前記右目エッジデータを分析して左目映像のテキスト領域に対応する左目座標と右目映像のテキスト領域に対応する右目座標を抽出するテキスト領域検出部と、
前記左目座標それぞれに対応する左目映像データを前記左目座標のそれぞれに対応する左目映像データとそれに隣接する左目映像データの平均値に変換し左目変換データを生成して、前記右目座標のそれぞれに対応する右目映像データを前記右目座標のそれぞれに対応する右目映像データとそれと隣接する右目映像データの平均値に変換して右目変換データを生成するデータ変換部と、
前記左目変換データと前記右目変換データを３Ｄフォーマット方法によって変換して３Ｄ映像データを生成する３Ｄフォーマットを含むことを特徴とする、パターンドリターダ方式の立体映像表示装置。
【発明の詳細な説明】
【技術分野】
【０００１】
本発明はテキスト領域の文字可読性を高めることができる映像処理方法及びこれを利用した立体映像表示装置に関する。
【背景技術】
【０００２】
立体映像表示装置は両眼視差方式（stereoscopic technique）と複合視差知覚方式（autostereoscopic technique）に分けられる。
【０００３】
両眼視差方式は、立体効果が大きい左右目の視差映像を利用し、眼鏡方式と無眼鏡方式があり、二つの方式とも実用化されている。眼鏡方式は、直視形表示素子やプロジェクタに左右視差映像の偏光方向を変えて表示し偏光メガネを用いて立体映像を実現するパターンドリターダ方式がある。また、眼鏡方式は直視型表示素子やプロジェクタに左右視差映像を時分割して表示し液晶シャッタメガネを用いて立体映像を実現するシャッタメガネ方式がある。無眼鏡方式は一般的にパララックスバリヤ、レンチキュラーレンズなどの光学板を用いて左右視差映像の光軸を分離し立体映像を実現する。
【０００４】
図１は従来パターンドリターダ方式の立体映像表示装置を示した図である。図１を参照すると、パターンドリターダ方式の立体映像表示装置は表示パネル（ＤＩＳ）上に配置されたパターンドリターダ(Patterned Retarder)（ＰＲ）の偏光特性と、使用者が着用した偏光メガネ（ＰＧ）の偏光特性を利用して立体映像を実現する。パターンドリターダ方式の立体映像表示装置は表示パネル（ＤＩＳ）の奇数ラインには左目イメージを表示し、偶数ラインには右目イメージを表示する。表示パネル（ＤＩＳ）の左目イメージはパターンドリターダ（ＰＲ）をパスすると左目偏光に変換され、右目イメージはパターンドリターダ（ＰＲ）をパスすると右目偏光に変換される。偏光メガネ（ＰＧ）の左目偏光フィルタは左目偏光のみを通過させ、右目偏光フィルタは右目偏光のみを通過させる。したがって、使用者は左目を通じて左目イメージのみを見るようになり、右目を通じて右目イメージのみを見るようになる。
【発明の概要】
【発明が解決しようとする課題】
【０００５】
図１のようなパターンドリターダ方式の立体映像表示装置は２Ｄモードで２Ｄ映像を表示し、３Ｄモードで立体映像(３Ｄ映像)を表示する。２Ｄ映像または３Ｄ映像にテキスト領域が含まれている場合、テキスト領域の文字可読性の落ちる問題がある。
【０００６】
特に、パターンドリターダ方式の立体映像表示装置は３Ｄモードで奇数ラインに左目映像を表示し偶数ラインに右目映像を表示するので、映像の境界部が滑らかでなく階段のように見えるギザギザ(jagging)現象によってテキスト領域の文字可読性がさらに落ちる問題がある。
【０００７】
そこで、本発明は、前記問題に鑑みてなされたものであり、本発明の目的は、２Ｄ及び３Ｄモードでテキスト領域の文字可読性を高めることができる映像処理方法とこれを利用した立体映像表示装置を提供することにある。
【課題を解決するための手段】
【０００８】
前記目的を果たすために、本発明に係る映像処理方法は左目映像データを左目エッジデータに変換し、右目映像データを右目エッジデータに変換する段階と、前記左目エッジデータと前記右目エッジデータを分析して左目映像のテキスト領域に対応する左目座標と右目映像のテキスト領域に対応する右目座標を抽出する段階と、前記左目座標のそれぞれに対応する左目映像データを前記左目座標のそれぞれに対応する左目映像データとそれに隣接する左目映像データの平均値に変換して左目変換データを生成し、前記右目座標のそれぞれに対応する右目映像データを前記右目座標のそれぞれに対応する右目映像データとそれに隣接する右目映像データの平均値に変換して右目変換データを生成する段階と、前記左目変換データと前記右目変換データを３Ｄフォーマット方法によって変換して変換された３Ｄ映像データを生成する段階を含む。
【０００９】
また、本発明に係る映像処理部は左目映像データを左目エッジデータに変換し、右目映像データを右目エッジデータに変換するエッジ変換部と、前記左目エッジデータと前記右目エッジデータを分析して左目映像のテキスト領域に対応する左目座標と右目映像のテキスト領域に対応する右目座標を抽出するテキスト領域検出部と、前記左目座標のそれぞれに対応する左目映像データを前記左目座標のそれぞれに対応する左目映像データとそれに隣接する左目映像データの平均値に変換して左目変換データを生成し、前記右目座標のそれぞれに対応する右目映像データを前記右目座標のそれぞれに対応する右目映像データとそれに隣接する右目映像データの平均値に変換して右目変換データを生成するデータ変換部と、前記左目変換データと前記右目変換データを３Ｄフォーマット方法によって変換して変換された３Ｄ映像データを生成する３Ｄフォーマットを含む。
【００１０】
また、本発明に係る立体映像表示装置はデータラインとゲートラインが交差される表示パネルと入力される映像データのテキスト領域を検出して前記テキスト領域の文字可読性を改善する映像処理部と前記映像処理部から出力された映像データをデータ電圧に変換して前記データラインに出力するデータ駆動部と、前記データ電圧に同期されるゲートパルスを前記ゲートラインに順次に出力するゲート駆動部を備え、前記映像処理部は、左目映像データを左目エッジデータに変換し、右目映像データを右目エッジデータに変換するエッジ変換部と前記左目エッジデータと前記右目エッジデータを分析して左目映像のテキスト領域に対応する左目座標と右目映像のテキスト領域に対応する右目座標を抽出するテキスト領域検出部と前記左目座標のそれぞれに対応する左目映像データを前記左目座標のそれぞれに対応する左目映像データとそれに隣接する左目映像データの平均値に変換し、左目変換データを生成して、前記右目座標のそれぞれに対応する右目映像データを前記右目座標のそれぞれに対応する右目映像データとそれに隣接する右目映像データの平均値に変換して右目変換データを生成するデータ変換部と、前記左目変換データと前記右目変換データを３Ｄフォーマット方法によって変換して変換された３Ｄ映像データを生成する３Ｄフォーマットを含むことを特徴とする。
【発明の効果】
【００１１】
以上のように、本発明の実施の形態に係る３Ｄモードで映像処理部１４０と映像処理方法はテキスト領域で検出された左目映像データ(ＲＧＢＬ）にそれと隣接したラインの左目映像データ(ＲＧＢＬ）を適用し、右目座標（ＣＲ）それぞれに対応する右目映像データ（ＲＧＢＲ）にそれと隣接したラインの右目映像データ（ＲＧＢＲ）を適用する。これにより、本発明は奇数ラインまたは偶数ラインに配列されない左目映像データまたは右目映像データを補うことができる。その結果、本発明はテキスト領域の文字可読性を高めることができる。
【００１２】
また、本発明の実施の形態に係る２Ｄモードで映像処理部１４０と映像処理方法はテキスト領域に検出された座標（Ｃ２Ｄ）それぞれに対応する原２Ｄ映像データ（ＲＧＢ２Ｄ）にシャープネスフィルタを利用して鮮明度を改善する。その結果、本発明はテキスト領域の文字可読性を高めることができる。
【図面の簡単な説明】
【００１３】
【図１】パターンドリターダ方式の立体映像表示装置を示す図である。
【図２】本発明の実施の形態に係る立体映像表示装置を概略的に示すブロック図である。
【図３】表示パネル、パターンドリターダ及び偏光メガネを示す分解斜視図である。
【図４】図２の映像処理部を詳しく示すブロック図である。
【図５】本発明の実施の形態に係る３Ｄモードで映像処理部の映像処理方法を示す流れ図である。
【図６Ａ】入力３Ｄ映像を示す例示図である。
【図６Ｂ】左目映像を示す例示図である。
【図６Ｃ】左目グレースケール映像を示す例示図である。
【図６Ｄ】左目エッジ映像を示す例示図である。
【図６Ｅ】左目量子化映像を示す例示図である。
【図７Ａ】第１マスクを示す例示図である。
【図７Ｂ】第２及び第３マスクを示す例示図である。
【図８Ａ】左目量子化映像を示す例示図である。
【図８Ｂ】左目テキスト領域拡張映像を示す例示図である。
【図８Ｃ】左目テキスト領域検出映像を示す例示図である。
【図９Ａ】単純な映像を示す例示図である。
【図９Ｂ】複雑な映像を示す例示図である。
【図１０】本発明の第１実施の形態に係る３Ｄフォーマットの３Ｄフォーマット方法を示す図である。
【図１１】本発明の第２実施の形態に係る３Ｄフォーマットの３Ｄフォーマット方法を示す図である。
【図１２】本発明の実施の形態に係る２Ｄモードで映像処理部の映像処理方法を示す流れ図である。
【図１３Ａ】従来技術を適用したテキスト領域を含む３Ｄ映像を示す例示図である。
【図１３Ｂ】本発明の実施の形態に係る映像処理方法を適用したテキスト領域を含む３Ｄ映像を示す図である。
【発明を実施するための形態】
【００１４】
以下、添付図面を参照しながら、本発明の好適な実施の形態について詳細に説明する。
【００１５】
図３は本発明の実施の形態に係る立体映像表示装置を概略的に示すブロック図である。図４は表示パネル、パターンドリターダ、及び偏光メガネを示す分解斜視図である。本発明の立体映像表示装置は液晶表示素子（Liquid Crystal Display ＬＣＤ）、電界放出表示素子（Field Emission Display、ＦＥＤ）、プラズマディスプレイパネル（Plasma Display Panel、ＰＤＰ)、有機発光ダイオード素子（Organic Light Emitting Diode、ＯＬＥＤ) などの平板表示素子で実現される。本発明は以下の実施の形態では液晶表示素子を中心に例示するが、液晶表示素子に限定されないことに注意しなければならない。
【００１６】
図３及び図４を参照すると、本発明の立体映像表示装置は表示パネル１０、偏光メガネ２０、ゲート駆動部１１０、データ駆動部１２０、フレームメモリ１３０、タイミングコントローラ１４０、及びホストシステム１５０などを含む。
【００１７】
表示パネル１０は二枚のガラス基板の間に液晶層が形成される。表示パネル１０の下部ガラス基板上にはデータライン（Ｄ）とゲートライン（Ｇ）によって定義されたセル領域に画素がマトリクス形態に配置されたＴＦＴアレイが形成される。表示パネル１０の画素のそれぞれは薄膜トランジスタに接続され画素電極と共通電極の間の電界によって駆動される。
【００１８】
表示パネル１０の上部ガラス基板上にはブラックマットリックス、カラーフィルタ、共通電極などを含むカラーフィルタアレイが形成される。共通電極はＴＮ（Twisted Nematic）モードとＶＡ(Vertical Alignment)モードのような垂直電界駆動方式で上部ガラス基板上に形成され、ＩＰＳ（In Plane Switching）モードとＦＦＳ（Fringe Field Switching）モードのような水平電界駆動方式で画素電極とともに下部ガラス基板上に形成される。表示パネル１０の液晶モードは前述のＴＮモード、ＶＡモード、ＩＰＳモード、ＦＦＳモードだけでなくあらゆる液晶モードでも実現される。
【００１９】
表示パネル１０は代表的にバックライトユニットからの光を変調する透過型液晶表示パネルが選択されることができる。バックライトユニットはバックライトユニット駆動部から供給される駆動電流によって点灯する光源、導光板(または拡散板)、複数の光学シートなどを含む。バックライトユニットは直下型バックライトユニット、またはエッジ型バックライトユニットに実現される。バックライトユニット３０の光源はＨＣＦＬ（Hot Cathode Fluorescent Lamp）、ＣＣＦＬ（Cold Cathode Fluorescent Lamp）、ＥＥＦＬ（External Electrode Fluorescent Lamp）、ＬＥＤ（Light Emitting Diode）のうちのいずれか一または二種類以上の光源を含むことができる。
【００２０】
図４を参照すると、表示パネル１０の上部ガラス基板には上部偏光板１１Ａが接触して配置され、下部ガラス基板には下部偏光板１１Ｂが接触して配置される。また、上部ガラス基板と下部ガラス基板には液晶のプレチルト角を設定するための配向膜が形成される。表示パネル１０の上部ガラス基板と下部ガラス基板の間には液晶層のセルギャップを維持するためのスペーサーが形成される。
【００２１】
２Ｄモードで表示パネル１０の奇数ラインの画素と偶数ラインの画素は２Ｄ映像を表示する。３Ｄモードで表示パネル１０の奇数ラインの画素は左目イメージ(または右目イメージ)を表示し偶数ラインの画素は右目イメージ(または左目イメージ)を表示する。表示パネル１０の画素に表示された映像の光は上部偏光フィルムを通じて表示パネル１０上に配置されたパターンドリターダ(Patterned Retarder)３０に入射される。
【００２２】
パターンドリターダ３０の奇数ラインには第１リターダ３１が形成され、偶数ラインには第２リターダ３２が形成される。したがって、表示パネル１０の奇数ラインの画素はパターンドリターダ３０の奇数ラインに形成される第１リターダ３１と対向され、表示パネル１０の偶数ラインの画素はパターンドリターダ３０の偶数ラインに形成される第２リターダ３２と対向される。パターンドリターダ３０の第１リターダ３１は第１円偏光(左円編光)だけを通過させるように実現される。第２リターダ３２は第２円編光(右円偏光)だけを通過させるように実現される。
【００２３】
一方、パターンドリターダ３０は垂直視野角を広げるためにブラックストライプ(black stripe)を含むことができる。
【００２４】
偏光メガネ２０は第１リターダ３１から変換された第１円偏光を通過させる左目偏光フィルタ（ＦＬ）と第２リターダ３２から変換された第２円編光を通過させる右目偏光フィルタ（ＦＲ）を含む。例えば、左目偏光フィルタ（ＦＬ）は左円編光を通過させることができ、右目偏光フィルタ（ＦＲ）は右円偏光を通過させることができる。
【００２５】
結局、パターンドリターダ方式の立体映像表示装置で、表示パネル１０の奇数ラインに表示される左目イメージは第１リターダ３１をパスして左円編光に変換され、偶数ラインの画素に表示される右目イメージは第２リターダ３２をパスして右円偏光に変換される。左円編光は偏光メガネ２０の左目偏光フィルタ（ＦＬ）をパスして使用者の左目に到逹するようになり、右円偏光は偏光メガネ２０の右目偏光フィルタ（ＦＲ）をパスして使用者の右目に到逹するようになる。したがって、使用者は左目を通じて左目イメージのみを見るようになり、右目を通じて右目イメージのみを見るようになる。
【００２６】
データ駆動部１２０は複数のソースドライブＩＣを含む。ソースドライブＩＣはタイミングコントローラ１３０から入力される２Ｄ／３Ｄ映像データ（ＲＧＢ２Ｄ／ＲＧＢ３Ｄ‘）を正極性/負極性ガンマ補償電圧に変換する。ソースドライブＩＣから出力される正極性/負極性アナログデータ電圧は表示パネル１０のデータライン（Ｄ）に供給される。
【００２７】
ゲート駆動部１１０はタイミングコントローラ１３０の制御の下にデータ電圧に同期されるゲートパルスを表示パネル１０のゲートライン（Ｇ）に順次供給する。ゲート駆動部１１０はシフトレジスタ、シフトレジスタの出力信号を液晶セルのＴＦＴ駆動に適合するスイング幅に変換するためのレベルシフト、及び出力バッファーなどをそれぞれ含む複数のゲートドライブ集積回路で構成されることができる。
【００２８】
タイミングコントローラ１３０は映像処理部１４０から２Ｄ映像データ/変調された３Ｄ映像データ（ＲＧＢ２Ｄ／ＲＧＢ３Ｄ‘）、タイミング信号、及びモード信号の入力を受ける。タイミングコントローラ１３０は映像処理部１４０から出力された２Ｄ映像データ/変調された３Ｄ映像データ（ＲＧＢ２Ｄ／ＲＧＢ３Ｄ’）とタイミング信号とモード信号（ＭＯＤＥ）に基礎しゲート駆動部１１０を制御するためのゲート駆動部制御信号（ＧＣＳ）を生成し、データ駆動部１２０を制御するためのデータ駆動部制御信号（ＤＣＳ）を生成する。タイミング信号は垂直同期信号、水平同期信号、データイネーブル信号及びドットクロックなどを含む。タイミングコントローラ１３０はゲート駆動部制御信号（ＧＣＳ）をゲート駆動部１１０に出力する。タイミングコントローラ１３０は２Ｄ映像データ／変調された３Ｄ映像データ（ＲＧＢ２Ｄ／ＲＧＢ３Ｄ‘）とデータ駆動部制御信号（ＤＣＳ）をデータ駆動部１２０に出力する。
【００２９】
ホストシステム１５０はＬＶＤＳ(Low Voltage Differential Signaling) インターフェース、ＴＭＤＳ(Transition Minimized Differential Signaling) インターフェースなどのインターフェースを通じて２Ｄ/３Ｄ映像データ（ＲＧＢ２Ｄ／ＲＧＢ３Ｄ）を 映像処理部１４０に供給する。また、ホストシステム１５０はタイミング信号とモード信号（ＭＯＤＥ）などを映像処理部１４０に供給する。
【００３０】
映像処理部１４０は２Ｄモードと３Ｄモードによって区分されるモード信号（ＭＯＤＥ）の入力を受ける。映像処理部１４０はモード信号によって２Ｄモードでホストシステム１５０から入力された２Ｄ映像データ（ＲＧＢ２Ｄ）をそのままタイミングコントローラ１３０に出力する。また映像処理部１４０はモード信号（ＭＯＤＥ）によって３Ｄモードでホストシステム１５０から入力されたタイミング信号（Ｖｓｙｎｃ、Ｈｓｙｎｃ、ＤＥ、ＣＬＫ）は映像処理部１４０で映像処理された３Ｄ映像データ（ＲＧＢ３Ｄ‘）のタイミングに同期されて出力される。映像処理部１４０で映像処理された３Ｄ映像データ（ＲＧＢ３Ｄ’）とタイミング信号（Ｖｓｙｎｃ、Ｈｓｙｎｃ、ＤＥ、ＣＬＫ）はタイミングコントローラ１３０に入力される。
【００３１】
３Ｄモードで本発明の映像処理部１４０と映像処理方法に対する詳しい説明は図４及び図５を参照して後述する。
【００３２】
図４は図２の映像処理部を詳しく示すブロック図である。図５は本発明の実施の形態に係る映像処理部の映像処理方法を示す流れ図である。図４を参照すると、映像処理部１４０はテキスト処理部１４１と３Ｄフォーマット１４２を含む。また、テキスト処理部１４１はデータ拡張部１４１Ａ、グレースケール変換部１４１Ｂ、エッジ検出部１４１Ｃ、テキスト領域検出部１４１Ｄ、データ変換部１４１Ｅを含む。テキスト処理部１４１は３Ｄ映像データ（ＲＧＢ３Ｄ）を分析しテキスト領域を検出した後、テキスト領域の可読性を向上させる。３Ｄフォーマット１４２はテキスト処理部１４１からテキスト領域の可読性が改善した映像データを時分割３Ｄフォーマット方法によって変換する。以下で、図４及び図５を参照して映像処理部１４０の映像処理方法について詳しく説明する。
【００３３】
データ拡張部１４１Ａは３Ｄモードでホストシステム１５０から原左目映像データ（ＯＲＧＢＬ）と原右目映像データ（ＯＲＧＢＲ）を含む原３Ｄ映像データ（ＲＧＢ３Ｄ）の入力を受ける。データ拡張部１４１Ａは１フレーム単位で原３Ｄ映像データ（ＲＧＢ３Ｄ）の入力を受けることができる。また、データ拡張部１４１Ａはホストシステム１５０からモード信号（ＭＯＤＥ）とタイミング信号の入力を受ける。データ拡張部１４１Ａはモード信号（ＭＯＤＥ）を通じて２Ｄモードと３Ｄモードを区分することができる。
【００３４】
原３Ｄ映像データ（ＲＧＢ３Ｄ）は並列して（ｓｉｄｅ ｂｙ ｓｉｄｅ）入力される原左目映像データ（ＯＲＧＢＬ）と原右目映像データ（ＯＲＧＢＲ）を含む。図６Ａは入力３Ｄ映像を示す例示図である。例えば、原３Ｄ映像データ（ＲＧＢ３Ｄ）は図６Ａのように左半部に入力される原左目映像データ（ＯＲＧＢＬ）と右半部に入力される原右目映像データ（ＯＲＧＢＲ）を含むことができる。または原３Ｄ映像データ（ＲＧＢ３Ｄ）は上半部に入力される原左目映像データ（ＯＲＧＢＬ）と下半部に入力される原右目映像データ（ＯＲＧＢＲ）を含むことができる。データ拡張部１４１Ａは３Ｄモードで原左目映像データ（ＯＲＧＢＬ）を確張して１フレームの左目映像データ(ＲＧＢＬ）を生成し、原右目映像データ（ＯＲＧＢＲ）を確張して１フレームの右目映像データ（ＲＧＢＲ）を生成する（Ｓ１０１）。
【００３５】
グレースケール変換部１４１Ｂは３Ｄモードで左目映像データ(ＲＧＢＬ）と右目映像データ（ＲＧＢＲ）のそれぞれを左目グレースケール映像データ（ＧＲＧＢＬ）と右目グレースケール映像データ（ＧＲＧＢＲ）に変換する。グレースケール変換部１４１Ｂは変換のために数１のような数式を利用することができる。
【数１】
0005496276.tif 000002
【００３６】
数１で、Ｇ（ＲＧＢ）はグレースケール映像データと、ＲＬは左目赤色データ、ＧＬは左目緑データ、ＢＬは左目青色データを意味する。ＲＲは右目赤色データ、ＧＲは右目緑データ、ＢＲは右目青色データを意味する。左目映像データ(ＲＧＢＬ）は左目赤色データ（ＲＬ）、左目緑データ（ＧＬ）、左目青色データ（ＢＬ）を含み、左目映像データ(ＲＧＢＬ）は左目赤色データ（ＲＬ）、左目緑データ（ＧＬ）、左目青色データ（ＢＬ）を含む。
【００３７】
図６Ｂは左目映像を示すスクリーンショットの一例であり、図６Ｃは左目グレースケール映像を示すスクリーンショットの一例である。左目映像は左目映像データ(ＲＧＢＬ）から得られた映像であり、左目グレースケール映像は左目グレースケールデータ（ＧＲＧＢＬ)から得られた映像である。また、グレースケール変換部１４１Ｂはミディアンフィルタのようなノイズ除去フィルタを左目グレースケールデータ（ＧＲＧＢＬ）と右目グレースケールデータ（ＧＲＧＢＲ）に適用することでグレースケール映像のノイズを除去することができる(Ｓ１０２)。
【００３８】
エッジ変換部１４１Ｃは左目グレースケールデータ(ＧＲＧＢＬ)を左目エッジデータ（ＥＤＬ)に変換し、右目グレースケールデータ（ＧＲＧＢＲ）を右目エッジデータ（ＥＤＲ）に変換する。エッジ変換部１４１Ｃは左目グレースケールデータ（ＧＲＧＢＬ）を左目エッジデータ（ＥＤＬ)に変換し右目グレースケールデータ（ＧＲＧＢＲ）を右目エッジデータ（ＥＤＲ）に変換するため、ゾーベルマスク(sobel mask)方法などのエッジ変換アルゴリズムなどを利用することができる（Ｓ１０３）。
【００３９】
テキスト領域検出部１４１Ｄは左目エッジデータ（ＥＤＬ)と右目エッジデータ（ＥＤＲ）それぞれを分析してテキスト領域を検出する。テキスト領域検出部１４１Ｄは量子化処理部２０１、テキスト領域拡張部２０２、テキスト領域処理部２０３、及び座標抽出部２０４を含む。
【００４０】
先ず、量子化処理部２０１は左目エッジデータ（ＥＤＬ)と右目映像データ（ＥＤＲ）それぞれを量子化する。量子化処理部２０１は第１しきい値より大きい値を有する左目エッジデータ（ＥＤＬ)と右目エッジデータ（ＥＤＲ）を最大階調値に変換し第１しきい値より小さな値を有する左目エッジデータ（ＥＤＬ)と右目エッジデータ（ＥＤＲ）を最小階調値に変換するによって左目量子化データ（ＱＬ）と右目量子化データ（ＱＲ）を生成することができる。量子化処理部２０１は量子化方法を遂行した後、左目量子化データ（ＱＬ）と右目量子化データ（ＱＲ）をテキスト領域拡張部２０２に出力する。
【００４１】
図６Ｄは左目エッジ映像を示す図であり、図６Ｅは左目量子化映像を示す図である。図６Ｄと図６Ｅを参照すると、左目エッジ映像は左目エッジデータ（ＥＤＬ)から得られた映像であり、左目量子化映像は左目量子化データ（ＱＬ）から得られた映像である。左目エッジ映像と左目量子化映像は階調値で表現されることができる。例えば、入力される映像データが８ビートの場合、左目エッジ映像と左目量子化映像は Ｇ０ないしＧ２５５の階調値で表現されることができる。この場合、最高階調値は Ｇ２５５階調、最低階調値はＧ０階調になる。図８Ｄ及び図８Ｅ示されたように量子化によって左目量子化映像と右目量子化映像は左目エッジ映像と右目エッジ映像に比べてエッジ領域が鮮やかに現われる（Ｓ１０７）。
【００４２】
テキスト領域拡張部２０２は量子化処理部２０１から左目量子化データ（ＱＬ）と右目量子化データ（ＱＲ）の入力を受ける。量子化データ拡張部２０２は第１マスク（Ｍ１）をマスク単位にシフトしながら左目量子化データ（ＱＬ）と右目量子化データ（ＱＲ）を拡張左目量子化データ（ＥＱＬ）と拡張右目量子化データ（ＥＱＲ）に変換する。
【００４３】
具体的に、テキスト領域拡張部２０２は左目量子化データ（ＱＬ）と右目量子化データ（ＱＲ）それぞれに第１マスク（Ｍ１）を設定し、第１マスク（Ｍ１）に含まれたすべての左目量子化データ（ＱＬ）または右目量子化データ（ＱＲ）を第１マスク（Ｍ１）内の量子化データの最大値に変換する。第１マスク（Ｍ１）は１×ｔ（ｔは２以上の自然数) 水平マスクに設定されることができる。
【００４４】
図７Ａは第１マスクを示す例示図である。例えば、図７Ａのように第１マスク（Ｍ１）は１×５水平マスクに設定されることができる。テキスト領域拡張部２０２は第１マスク（Ｍ１）内のすべての量子化データ（ＱＤ（ｉ−２、ｊ）、ＱＤ（ｉ−１、ｊ）、ＱＤ（ｉ、ｊ）、ＱＤ（ｉ＋１、ｊ）、ＱＤ（ｉ＋２、ｊ））を第１マスク（Ｍ１）内の量子化データ(ＱＤ（ｉ−２、ｊ）ｎ、ＱＤ（ｉ−１、ｊ）、ＱＤ（ｉ、ｊ）、ＱＤ（ｉ＋１、ｊ）、ＱＤ（ｉ＋２、ｊ）)の中最大値に変換する。ＱＤ（ｉ、ｊ）は（ｉ、ｊ）（ｉは  １≦ｉ≦ｍを満足する自然数、ｍは表示パネル１０の水平解像度）（ｊは１≦ｊ≦ｎを満足する自然数、ｎは表示パネル１０の垂直解像度) 座標の左目量子化データを意味する。左目量子化データ（ＱＬ）と右目量子化データ（ＱＲ）は最大階調値または最小階調値を有する。そうするので、テキスト領域拡張部２０２は第１マスク（Ｍ１）内の量子化データ（ＱＤ（ｉ−２、ｊ）、ＱＤ（ｉ−１、ｊ）、ＱＤ（ｉ、ｊ）、ＱＤ（ｉ＋１、ｊ）、ＱＤ（ｉ＋２、ｊ））の中いずれか一つが最大階調値（Ｇ２５５）を有する場合、第１マスク（Ｍ１）内のすべての量子化データ(ＱＤ（ｉ−２、ｊ）、ＱＤ（ｉ−１、ｊ）、ＱＤ（ｉ、ｊ）、ＱＤ（ｉ＋１、ｊ）、ＱＤ（ｉ＋２、ｊ）)を最大階調値（Ｇ２５５）に変換する。また、テキスト領域拡張部２０２は第１マスク（Ｍ１）内の量子化データ（ＱＤ（ｉ−２、ｊ）、ＱＤ（ｉ−１、ｊ）、ＱＤ（ｉ＋２、ｊ））の中いずれか一つが最小階調値（Ｇ０）を有する場合、第１マスク（Ｍ１）内のすべての量子化データ（ＱＤ（ｉ−２、ｊ）、ＱＤ（ｉ−１、ｊ）、ＱＤ（ｉ、ｊ）、ＱＤ（ｉ＋１、ｊ）、ＱＤ（ｉ＋２、ｊ））を最小階調値（Ｇ０）に変換する。
【００４５】
図８Ａは左目量子化映像を示す例示図であり、図８Ｂは左目量子化拡張映像を示す例示図である。図８Ａ及び図８Ｂを参照すると、左目量子化映像は左目量子化データ（ＱＬ）から得られた映像であり、左目量子化拡張映像は拡張左目量子化データ（ＥＱＬ）から得られた映像である。特に、図８Ａ及び図８Ｂにはテキスト領域が拡がって示されている。左目量子化映像と左目量子化拡張映像のそれぞれのテキスト領域はホワイト階調に表現される。左目量子化映像のテキスト領域にはテキストがホワイト階調に表現され、テキストの間空白はブラック階調に表現されている。左目量子化拡張映像のテキスト領域にはテキストとテキストの間空白全てがホワイト階調に表現されている。これはテキスト領域はテキスト領域拡張部２０２によって拡張されたからである。ホワイト階調は最大階調値から得られた階調であり、ブラック階調は最小階調値から得られた階調である。
【００４６】
テキスト領域処理部２０３はテキスト領域拡張部２０２から拡張左目量子化データ（ＥＱＬ）と拡張右目量子化データ（ＥＱＲ）の入力を受ける。テキスト領域処理部２０３は第２マスク（Ｍ２）と第３マスク（Ｍ３）をマスク単位にシフトしながら拡張左目量子化データ（ＥＱＬ）と拡張右目量子化データ（ＥＱＲ）を左目検出データ（ＤＬ）と右目検出データ（ＤＲ）））に変換する。
【００４７】
テキスト領域処理部２０３は左目量子化拡張データ（ＥＱＬ）と右目量子化拡張データ（ＥＱＲ）のそれぞれに第２マスク（Ｍ２）を設定する。テキスト領域処理部２０３は第２マスク（Ｍ２）に含まれたすべての左目量子化拡張データ（ＥＱＬ）または右目量子化拡張データ（ＥＱＲ）が最大階調値を有するかを判断する。テキスト領域処理部２０３は第２マスク（Ｍ１）に含まれたすべての左目量子化拡張データ（ＥＱＬ）または右目量子化拡張データ（ＥＱＲ）が最大階調値を有する場合、第２マスク（Ｍ１）に含まれたすべての左目量子化拡張データ（ＥＱＬ）または右目量子化拡張データ（ＥＱＲ）をそのまま維持する。テキスト領域処理部２０３は第２マスク（Ｍ２）に含まれたすべての左目量子化拡張データ（ＥＱＬ）または右目量子化拡張データ（ＥＱＲ）の中いずれか一つでも最大階調値を有さない場合、第２マスク（Ｍ２）に含まれたすべての左目量子化拡張データ（ＥＱＬ）または右目量子化拡張データ（ＥＱＲ）を最小階調値に変換する。第２マスク（Ｍ２）は１×ｕ（ｕは２以上の自然数）水平マスクに設定されることができる。
【００４８】
テキスト領域処理部２０３は左目量子化拡張データ（ＥＱＬ）と右目量子化拡張データ（ＥＱＲ）のそれぞれに第３マスク（Ｍ３）を設定する。テキスト領域処理部２０３は第３マスク（Ｍ３）に含まれたすべての左目量子化拡張データ（ＥＱＬ）または右目量子化拡張データ（ＥＱＲ）が最大階調値を有するかを判断する。テキスト領域処理部２０３は第３マスク（Ｍ３）に含まれたすべての左目量子化拡張データ（ＥＱＬ）または右目量子化拡張データ（ＥＱＲ）が最大階調値を有する場合、第３マスク（Ｍ３）に含まれたすべての左目量子化拡張データ（ＥＱＬ）または右目量子化拡張データ（ＥＱＲ）をそのまま維持する。テキスト領域処理部２０３は第３マスク（Ｍ３）に含まれたすべての左目量子化拡張データ（ＥＱＬ）または右目量子化拡張データ（ＥＱＲ）の中いずれか一つでも最大階調値を有さない場合、第３マスク（Ｍ３）に含まれたすべての左目量子化拡張データ（ＥＱＬ）または右目量子化拡張データ（ＥＱＲ）を最小階調値に変換する。テキスト領域処理部２０３は第３マスク（Ｍ３）をマスク単位にシフトしながら変換を遂行する。第３マスク（Ｍ３）はｖ×１（ｖは２以上の自然数) 垂直マスクに設定されることができる。
【００４９】
また、テキスト候補領域処理部２０３はテキスト領域のエラーを補うため、後処理を遂行することができる。テキスト候補領域処理部２０３は第２マスク（Ｍ２）または第３マスク（Ｍ３）に隣接した左目量子化拡張データ（ＥＱＬ）または右目量子化拡張データ（ＥＱＲ）を最大階調値に変換することができる。例えば、テキスト候補領域処理部２０３は第２マスク（Ｍ２）から第２マスク（Ｍ２）の１／２大きさ内にいる左目量子化拡張データ（ＥＱＬ）または右目量子化拡張データ（ＥＱＲ）を最大階調値に変換することができる。また、テキスト候補領域処理部２０３は第３マスク（Ｍ３）から第３マスク（Ｍ３）の１／２大きさ内にいる左目量子化拡張データ（ＥＱＬ）または右目量子化拡張データ（ＥＱＲ）を最大階調値に変換することができる。第２マスク（Ｍ２）は水平マスクであるので、テキスト領域のエラーを水平方向に補う役割をし、第３マスク（Ｍ３）は垂直マスクであるので、最終テキスト領域のエラーを垂直方向に補う役割を持つ。
【００５０】
図７Ｂは第２及び第３マスクを示す例示図である。例えば、図７Ｂのように第２マスク（Ｍ２）は１×５０水平マスクに設定されることができ、第３マスク（Ｍ３）は３×１垂直マスクに設定されることができる。テキスト領域処理部２０３は水平マスクである第２マスク（Ｍ２）をシフトし、テキスト領域をスキャンした後に、垂直マスクである第３マスク（Ｍ３）をマスク単位にシフトし、テキスト領域をスキャンしてテキスト領域を検出する。
【００５１】
図８Ｃは左目検出映像を示す例示図である。図８Ｃを参照すると、左目検出映像は左目検出データ（ＤＬ）から得られた映像である。特に、図８Ｃでは左目検出映像のテキスト領域が拡がっている。左目検出映像のテキスト領域はホワイト階調に表現されている。ホワイト階調は最大階調値から得られる。
【００５２】
一方、テキスト領域処理部２０３は映像の複雑度によって第２マスク（Ｍ２）の大きさと第３マスク（Ｍ３）の大きさを変更することができる。映像の複雑度が高いほど、テキスト領域処理部２０３は第２マスク（Ｍ２）の大きさと第３マスク（Ｍ３）の大きさを増大させる。
【００５３】
図９Ａは単純な映像を示す例示図である。図９Ｂは複雑な映像を示す例示図である。図９Ａ及び図９Ｂを参照すると、複雑なラインであればあるほどエッジが多くなり、複雑な映像であればあるほど複雑なラインが多くなる。ここで、テキスト領域処理部２０３は映像の複雑度を算出するための複雑度の算出部２０３Ａを含むことができる。
【００５４】
複雑度の算出部２０３Ａはローラインのそれぞれで左目エッジまたは右目エッジの個数が第３しきい値以上のローラインをカウントし複雑なラインの個数を算出することができる。複雑度の算出部２０３Ａは複雑なラインの個数が第４しきい値以上の場合第１論理レベルの複雑度信号を出力し、複雑なラインの個数が第４しきい値より小さな場合第２論理レベルの複雑度信号を出力することができる。
【００５５】
テキスト領域処理部２０３は第１論理レベルの複雑度信号に応答し第１サイズの第２マスク（Ｍ２）と第１サイズの第３マスク（Ｍ３）を選択することができる。テキスト領域処理部２０３は第２論理レベルの複雑度信号に応答して第２サイズの第２マスク（Ｍ２）と第２サイズの第３マスク（Ｍ３）を選択することができる。第１サイズの第２マスク（Ｍ２）は第２サイズの第２マスク（Ｍ２）より大きいサイズであり、第１サイズの第３マスク（Ｍ３）は第２サイズの第３マスク（Ｍ３）より大きいサイズである。
【００５６】
座標抽出部２０４はテキスト領域処理部２０３から左目検出データ（ＤＬ）と右目検出データ（ＤＲ））の入力を受ける。座標抽出部２０４は最大階調値を有する左目検出データ（ＤＬ）の左目座標（ＣＬ）を抽出し、最大階調値を有する右目検出データ（ＤＲ））の右目座標（ＣＲ）を抽出する。座標抽出部２０４は左目座標（ＣＬ）と右目座標（ＣＲ）をデータ変換部１４１Ｅに出力する。左目座標（ＣＬ）は左目映像のテキスト領域に対応する左目映像データ(ＲＧＢＬ）の座標であり、右目座標（ＣＲ）は右目映像のテキスト領域に対応する右目映像データ（ＲＧＢＲ）の座標である（Ｓ１０４）。
【００５７】
データ変換部１４１Ｅは３Ｄモードでテキスト領域検出部１４１Ｄから左目座標（ＣＬ）と右目座標（ＣＲ）の入力を受け、データ拡張部１４１Ａから左目映像データ(ＲＧＢＬ）と右目映像データ（ＲＧＢＲ）の入力を受ける。データ変換部１４１Ｅはホストシステム１５０からモード信号（ＭＯＤＥ）の入力を受ける。データ変換部１４１Ｅはモード信号(ＭＯＤＥ)を通じて２Ｄモードであるか３Ｄモードであるか判断することができる。データ変換部１４１Ｅは３Ｄモードで左目座標（ＣＬ）に対応する左目映像データ(ＲＧＢＬ）と右目座標（ＣＲ）に対応する右目映像データ（ＲＧＢＲ）を本発明の第１及び第２実施の形態によって変換し左目変換データ（ＲＧＢＣＬ）と右目変換データ（ＲＧＢＣＲ）を生成する。具体的には、本発明の第１及び第２実施の形態に係るデータ変換部１４１Ｅは左目座標（ＣＬ）のそれぞれに対応する左目映像データ(ＲＧＢＬ）を左目座標（ＣＬ）のそれぞれに対応する左目映像データ(ＲＧＢＬ）とそれに隣接する左目映像データ(ＲＧＢＬ）の平均値に変換し左目変換データ（ＣＲＧＢＬ）を生成し、右目座標（ＣＲ）のそれぞれに対応する右目映像データ（ＲＧＢＲ）を右目座標（ＣＲ）のそれぞれに対応する右目映像データ（ＲＧＢＲ）とそれに隣接する右目映像データ（ＲＧＢＲ）の平均値に変換し右目変換データ（ＲＧＢＲ）を生成する。
【００５８】
まず、本発明の第１実施の形態に係るデータ変換部１４１Ｅはテキスト領域検出部１４１Ｄから入力された左目座標が（ａ、ｂ）座標である場合、（ａ、ｂ）座標の左目映像データを（ａ、ｂ）座標の左目映像データと（ａ−１、ｂ）座標の左目映像データの平均値に変換する。また、本発明の第１実施の形態に係るデータ変換部１４１Ｅはテキスト領域検出部１４１Ｄから入力された右目座標が（ｃ、ｄ）座標である場合、（ｃ、ｄ）座標の右目映像データを（ｃ、ｄ）座標の右目映像データと（ｃ−１、ｄ）座標の右目映像データの平均値に変換する。
【００５９】
また、本発明の第１実施の形態に係るデータ変換部１４１Ｅはテキスト領域検出部１４１Ｄから入力された左目座標が（a、b）座標である場合、（a、b）座標の左目映像データを（a、b）座標の左目映像データと（a+1、b）座標の左目映像データの平均値に変換する。また、本発明の第１実施の形態に係るデータ変換部１４１Ｅはテキスト領域検出部１４１Ｄから入力された右目座標が（ｃ、ｄ）座標である場合、（ｃ、ｄ）座標の右目映像データを(c、d)座標の右目映像データと（ｃ＋１、ｄ）座標の右目映像データの平均値に変換する。
【００６０】
次に、本発明の第２実施の形態に係るデータ変換部１４１Ｅはテキスト領域検出部１４１Ｄから入力された左目座標が（ａ、ｂ）座標である場合、（ａ、ｂ）座標の左目映像データが奇数ラインに位置する場合、（ａ、ｂ）座標の左目映像データを（ａ、ｂ）座標の左目映像データと（a+1、b）座標の左目映像データの平均値に変換する。また、本発明の第２実施の形態に係るデータ変換部１４１Ｅはテキスト領域検出部１４１Ｄから入力された右目座標が（ｃ、ｄ）座標であるとする時、（ｃ、ｄ）座標の右目映像データが奇数ラインに位置する場合、（ｃ、ｄ）座標の右目映像データを（ｃ、ｄ）座標の右目映像データと（ｃ＋１、ｄ）座標の右目映像データの平均値に変換する。
【００６１】
または、本発明の第２実施の形態に係るデータ変換部１４１Ｅはテキスト領域検出部１４１Ｄから入力された左目座標が（ａ、ｂ）座標であるとする時、（ａ、ｂ）座標の左目映像データが偶数ラインに位置する場合、（ａ、ｂ）座標の左目映像データを（ａ、ｂ）座標の左目映像データと（ａ−１、ｂ）座標の左目映像データの平均値に変換する。また、本発明の第２実施の形態に係るデータ変換部１４１Ｅはテキスト領域検出部１４１Ｄから入力された右目座標が（ｃ、ｄ）座標であるとする時、（ｃ、ｄ）座標の右目映像データが偶数ラインに位置する場合、（ｃ、ｄ）座標の右目映像データを（ｃ、ｄ）座標の右目映像データと（ｃ−１、ｄ）座標の右目映像データの平均値に変換する。
【００６２】
データ変換部１４１Ｅは左目変換データ（ＲＧＢＣＬ）と右目変換データ（ＲＧＢＣＲ）を３Ｄフォーマット１４２に出力する。一方、データ変換部１４１Ｅは３Ｄモードで左目座標（ＣＬ）に対応する左目映像データ(ＲＧＢＬ）と右目座標（ＣＲ）に対応する右目映像データ（ＲＧＢＲ）にシャープネスフィルタ（Ｓｈａｒｐｎｅｓｓ ｆｉｌｔｅｒ）などの既に知られた公知のフィルタを適用しテキスト領域の鮮明度を高めた後、本発明の第１及び第２実施の形態によって変換することができる（Ｓ１０５）。
【００６３】
３Ｄフォーマット１４２はデータ変換部１４１Ｅから左目変換データ（ＲＧＢＣＬ）と右目変換データ（ＲＧＢＣＲ）の入力を受け、ホストシステム１５０からモード信号（ＭＯＤＥ）の入力を受ける。３Ｄフォーマット１４２はモード信号（ＭＯＤＥ）を通じて２Ｄモードであるか３Ｄモードであるか判断することができる。３Ｄフォーマット１４２は３Ｄモードで第１及び第２実施の形態によってデータ変換部１４１Ｅから入力を受けた左目映像データ(ＲＧＢＬ）と右目映像データ（ＲＧＢＲ）を変換し変換された３Ｄ映像データ（ＲＧＢ３Ｄ‘）を生成する。
【００６４】
図１０に、本発明の第１実施の形態に係る３Ｄフォーマット１４２のフォーマット方法を示す。図１０を参照すると、３Ｄフォーマット１４２は奇数ラインに左目映像データ(ＲＧＢＬ）を配列し、偶数ラインに右目映像データ（ＲＧＢＲ）を配列し変換された３Ｄ映像データ（ＲＧＢ３Ｄ‘）を出力する。または、３Ｄフォーマット１４２は奇数ラインに右目映像データ（ＲＧＢＲ）を配列し、偶数ラインには左目映像データ(ＲＧＢＬ）を配列し変換された３Ｄ映像データ（ＲＧＢ３Ｄ’）を出力することができる。３Ｄフォーマット１４２は変換された３Ｄ映像データを生成する。
【００６５】
図１１に、本発明の第２実施の形態に係る３Ｄフォーマット１４２のフォーマット方法を示す。図１１を参照すると、３Ｄフォーマット１４２は第Ｎ（Ｎは自然数）フレームでは奇数ラインに左目映像データ(ＲＧＢＬ）を配列し、偶数ラインに右目映像データ（ＲＧＢＲ）を配列し第Ｎフレームの変換された３Ｄ映像データ（ＲＧＢ３Ｄ‘）を生成する。また、３Ｄフォーマット１４２は第Ｎ＋１フレームには左目映像データ(ＲＧＢＬ）の奇数ラインに配列し、右目映像データ（ＲＧＢＲ）の偶数ラインに配列し第Ｎ＋１フレームの変換された３Ｄ映像データ（ＲＧＢ３Ｄ’）を生成する。３Ｄフォーマット１４２は変換された３Ｄ映像データ（ＲＧＢ３Ｄ‘）をタイミングコントローラ１３０に供給する（Ｓ１０６）。
【００６６】
以上のように、本発明の実施の形態に係る３Ｄモードで映像処理部１４０と映像処理方法はテキスト領域で検出された左目映像データ(ＲＧＢＬにそれと隣接したラインの左目映像データ(ＲＧＢＬ）を適用し、右目座標（ＣＲ）のそれぞれに対応する右目映像データ（ＲＧＢＲ）にそれと隣接したラインの右目映像データ（ＲＧＢＲ）を適用する。このように、本発明は奇数ラインまたは偶数ラインに配列されない左目映像データまたは右目映像データを補うことができる。その結果、本発明はテキスト領域の文字可読性を高めることができる。
【００６７】
２Ｄモードで本発明の映像処理部１４０と映像処理方法に対する詳しい説明は図４及び図１２を参照して後述する。
【００６８】
図４は図２の映像処理部を詳しく示すブロック図である。図１２は本発明の実施の形態に係る２Ｄモードで映像処理部の映像処理方法を示す流れ図である。図４を参照すると、映像処理部１４０はテキスト処理部１４１と３Ｄフォーマット１４２を含む。また、テキスト処理部１４１はデータ拡張部１４１Ａ、グレースケール変換部１４１Ｂ、エッジ検出部１４１Ｃ、テキスト領域検出部１４１Ｄ、データ変換部１４１Ｅを含む。テキスト処理部１４１は２Ｄモードで２Ｄ映像データ（ＲＧＢ２Ｄ）を分析してテキスト領域を検出した後、テキスト領域の可読性を向上させる。３Ｄフォーマット１４２は２Ｄモードでテキスト処理部１４１から入力される映像データを変換しないでそのままタイミングコントローラ１３０に出力する。
【００６９】
データ拡張部１４１Ａはホストシステム１５０から原２Ｄ映像データ（ＲＧＢ２Ｄ）とモード信号（ＭＯＤＥ）の入力を受ける。データ拡張部１４１Ａはモード信号（ＭＯＤＥ）を通じて２Ｄモードと３Ｄモードを区分することができる。データ拡張部１４１Ａは２Ｄモードで原２Ｄ映像データ（ＲＧＢ２Ｄ）をグレースケール変換部１４１Ｂに出力する（Ｓ２０１）。
【００７０】
グレースケール変換部１４１Ｂは原２Ｄ映像データ（ＲＧＢ２Ｄ）をグレースケールデータ（ＧＲＧＢ２Ｄ）に変換する。グレースケール変換部１４１Ｂの変換方法はＳ１０２段階で説明したようである（Ｓ２０２）。
【００７１】
エッジ変換部１４１Ｃはグレースケールデータ（ＧＲＧＢ２Ｄ）をエッジデータ（Ｅ２Ｄ）に変換する。エッジ変換部１４１Ｃの変換方法はＳ１０３段階で説明したようである（Ｓ２０３）。
【００７２】
テキスト領域検出部１４１Ｄは量子化部２０１、テキスト領域拡張部２０２、テキスト領域処理部２０３、及び座標抽出部２０４を含む。量子化部２０１はエッジデータ（Ｅ２Ｄ）を量子化する量子化方法を通じて量子化データ（Ｑ２Ｄを生成する。量子化部２０１の変換方法はＳ１０４段階で説明した通りである。テキスト領域拡張部２０２は第１マスク（Ｍ１）を利用し量子化データ（Ｑ２Ｄ）を量子化拡張データ（ＥＱ２Ｄ）に変換する。テキスト領域拡張部２０２の変換方法はＳ１０４段階で説明したようである。テキスト領域処理部２０３は第２及び第３マスク（Ｍ２、Ｍ３）を利用し量子化拡張データ（ＥＱ２Ｄ）を検出データ（Ｄ２Ｄ）に変換する。テキスト領域処理部２０３の変換方法はＳ１０４段階で説明したようである。座標抽出部２０４は検出データ（Ｄ２Ｄ）から２Ｄ座標（Ｃ２Ｄ）を抽出する。座標抽出部２０４の座標抽出方法はＳ１０４段階で説明したようである（Ｓ２０４）。
【００７３】
データ変換部１４１Ｅはデータ拡張部１４１Ａから原２Ｄ映像データ（ＲＧＢ２Ｄ）の入力を受けて、テキスト領域検出部１４１Ｄから２Ｄ座標（Ｃ２Ｄ）の入力を受ける。データ変換部１４１Ｅはホストシステム１５０からモード信号（ＭＯＤＥ）の入力を受ける。データ変換部１４１Ｅはモード信号（ＭＯＤＥ）を通じて２Ｄモードと３Ｄモードを区分することができる。データ変換部１４１Ｅは２Ｄモードで２Ｄ座標（Ｃ２Ｄ）に対応する原２Ｄ映像データ（ＲＧＢ２Ｄ）にシャープネスフィルタなどの既に知られた公知のフィルタを適用して変換された２Ｄ映像データ（ＲＧＢ２Ｄ‘）を生成する（Ｓ２０５）。
【００７４】
３Ｄフォーマット１４２はデータ変換部１４１Ｅから変換された２Ｄ映像データ（ＲＧＢ２Ｄ’)の入力を受ける。３Ｄフォーマット１４２はホストシステム１５０からモード信号(MODE)の入力を受ける。３Ｄフォーマット１４２はモード信号（ＭＯＤＥ）を通じて２Ｄモードか３Ｄモードかを判断することができる。３Ｄフォーマット１４２は２Ｄモードでデータ変換部１４１Ｅから入力された変換された２Ｄ映像データ（ＲＧＢ２Ｄ‘）を変換しないでそのままタイミングコントローラ１３０に出力する（Ｓ２０６）。
【００７５】
以上のように、本発明の実施の形態に係る２Ｄモードで映像処理部１４０と映像処理方法はテキスト領域に検出された座標（Ｃ２Ｄ）のそれぞれに対応する原２Ｄ映像データ（ＲＧＢ２Ｄ）にシャープネスフィルタを利用し鮮明度を改善する。その結果、本発明はテキスト領域の文字可読性を高めることができる。
【００７６】
図１３Ａ及び図１３Ｂは従来技術の映像と本発明の実施の形態に係る映像処理方法を適用した映像を示す実験結果図である。図１３Ａ及び図１３Ｂには３Ｄモードで使用者が観察したテキスト領域の文字が拡がって現われている。
【００７７】
図１３Ａのように従来技術の映像はテキスト領域の文字がどのような文字か確認することができないほどに文字可読性が大幅に落ちる。これに比べて、図１３Ｂのように本発明の実施の形態に係る映像処理方法を適用した映像はテキスト領域の文字がどのような文字か易しく分かるので、文字可読性が大幅に高くなったことが分かる。すなわち、本発明の実施の形態に係る映像処理方法はテキスト領域を検出した後、テキスト領域の画素データにシャープネスフィルタを適用するか、テキスト領域の画素データにその画素データと隣接する画素データの平均値を適用することで、テキスト領域の文字可読性を大幅に高めることができる。
【図１】
0005496276.tif 000003
【図２】
0005496276.tif 000004
【図３】
0005496276.tif 000005
【図４】
0005496276.tif 000006
【図５】
0005496276.tif 000007
【図７Ａ】
0005496276.tif 000008
【図７Ｂ】
0005496276.tif 000009
【図１０】
0005496276.tif 000010
【図１１】
0005496276.tif 000011
【図１２】
0005496276.tif 000012
【図６Ａ】
0005496276.tif 000013
【図６Ｂ】
0005496276.tif 000014
【図６Ｃ】
0005496276.tif 000015
【図６Ｄ】
0005496276.tif 000016
【図６Ｅ】
0005496276.tif 000017
【図８Ａ】
0005496276.tif 000018
【図８Ｂ】
0005496276.tif 000019
【図８Ｃ】
0005496276.tif 000020
【図９Ａ】
0005496276.tif 000021
【図９Ｂ】
0005496276.tif 000022
【図１３Ａ】
0005496276.tif 000023
【図１３Ｂ】
0005496276.tif 000024